(57)【要約】【課題】多種多様のコンテンツからキーコンテンツに対する関連性のあるコンテンツを簡単に検索することができる仕組みを構築する。【解決手段】表示処理装置は、キーコンテンツとは異なる種類を含む複数種類の他のコンテンツについて、キーコンテンツに対する関連度を算出し、関連度の算出にかかる項目の中から関連度の大きさに寄与する項目を、つながりキーワードとして他のコンテンツ毎に抽出する。そして、キーコンテンツの表示情報ＣＡ１および他のコンテンツの表示情報ＣＡ１１，ＣＡ１２と、つながりキーワードを示すキーワード表示情報Ｄとを生成し、キーコンテンツの表示情報ＣＡ１の位置から関連度の高い順に他のコンテンツの表示情報ＣＡ１１，ＣＡ１２をそれぞれ配置した一覧情報を表示し、キーワード表示情報Ｄを他のコンテンツの表示情報ＣＡ１１，ＣＡ１２に対応付けて表示する。【選択図】図１１
2011040099.tif 000002
【特許請求の範囲】
【請求項１】
検索のキーとなるコンテンツであるキーコンテンツの選択操作を受け付ける操作受付手段と、
前記キーコンテンツのメタデータと前記キーコンテンツとは異なる他のコンテンツのメタデータとを取得するメタデータ取得手段と、
前記キーコンテンツのメタデータと前記他のコンテンツのメタデータとで一致するキーワードを、つながりキーワードとして前記他のコンテンツ毎に抽出するキーワード抽出手段と、
複数の表示モードを切り替えて表示モードを設定する表示モード設定手段と、
第１の前記表示モードが設定された場合、矩形状の領域に前記キーコンテンツのメタデータを用いた情報を配置し前記キーコンテンツを表す第１の表示情報と、矩形状の領域に前記他のコンテンツのメタデータを用いた情報を配置し前記他のコンテンツを表す第２の表示情報と、を生成し、第２の前記表示モードが設定された場合、前記キーコンテンツの前記第１の表示情報と、矩形状の領域に前記つながりキーワードを表すキーワード表示情報を配置し前記他のコンテンツを表す第３の表示情報と、を生成する表示情報生成手段と、
前記第１の表示モードが設定された場合、前記第１の表示情報と、前記第２の表示情報とをそれぞれ配置した第１の一覧情報を表示し、前記第２の表示モードが設定された場合、前記第１の表示情報と、前記第３の表示情報とをそれぞれ配置した第２の一覧情報を表示し、前記第１の一覧情報での前記第２の表示情報と、前記第２の一覧情報での前記第３の表示情報とを、前記他のコンテンツ毎に略同じ位置に配置する表示制御手段と、
を備えた表示処理装置。
【請求項２】
前記キーコンテンツのメタデータと前記他のコンテンツのメタデータとに基づいて、前記他のコンテンツについて、前記キーコンテンツに対する関連度を算出する関連度算出手段を更に備え、
前記表示制御手段は、前記第１の表示モードが設定された場合、前記キーコンテンツの前記第１の表示情報の位置から前記関連度の高い順に前記他のコンテンツの前記第２の表示情報をそれぞれ配置した前記第１の一覧情報を表示し、前記第２の表示モードが設定された場合、前記キーコンテンツの前記第１の表示情報の位置から前記関連度の高い順に前記他のコンテンツの前記第３の表示情報をそれぞれ配置した前記第２の一覧情報を表示する請求項１に記載の表示処理装置。
【請求項３】
前記第２の表示情報と前記第３の表示情報とには、相互に異なる情報が含まれており、前記第２の表示情報における前記第３の表示情報に対して異なる情報は、前記キーワード表示情報と異なる情報であって前記他のコンテンツのメタデータを用いた情報であり、前記第３の表示情報における前記第２の表示情報に対して異なる情報は、前記キーワード表示情報である請求項１又は２に記載の表示処理装置。
【請求項４】
前記第２の表示情報には、当該第２の表示情報が表すコンテンツを識別可能な情報が含まれ、前記第３の表示情報には、当該第３の表示情報が表すコンテンツを識別可能な情報が含まれる請求項１ないし３のいずれか一項に記載の表示処理装置。
【請求項５】
前記表示情報生成手段は、一つの前記他のコンテンツに対して前記つながりキーワードが複数ある場合には、前記関連度の大きさに対する寄与が大きい順に複数の前記つながりキーワードを並べて配置する請求項２に記載の表示処理装置。
【請求項６】
前記コンテンツを識別可能な情報は、タイトルを含む請求項４に記載の表示処理装置。
【請求項７】
前記第２の表示情報における前記第３の表示情報に対して異なる情報は、代表画像と放送日時との一方を含む請求項３に記載の表示処理装置。
【請求項８】
前記第１の表示情報における前記キーコンテンツのメタデータを用いた前記情報は、代表画像と放送日時との一方を含む請求項１ないし７のいずれか一項に記載の表示処理装置。
【請求項９】
コンピュータを、
検索のキーとなるコンテンツであるキーコンテンツの選択操作を受け付ける操作受付手段と、
前記キーコンテンツのメタデータと前記キーコンテンツとは異なる他のコンテンツのメタデータとを取得するメタデータ取得手段と、
前記キーコンテンツのメタデータと前記他のコンテンツのメタデータとで一致するキーワードを、つながりキーワードとして前記他のコンテンツ毎に抽出するキーワード抽出手段と、
複数の表示モードを切り替えて表示モードを設定する表示モード設定手段と、
第１の前記表示モードが設定された場合、矩形状の領域に前記キーコンテンツのメタデータを用いた情報を配置し前記キーコンテンツを表す第１の表示情報と、矩形状の領域に前記他のコンテンツのメタデータを用いた情報を配置し前記他のコンテンツを表す第２の表示情報と、を生成し、第２の前記表示モードが設定された場合、前記キーコンテンツの前記第１の表示情報と、矩形状の領域に前記つながりキーワードを表すキーワード表示情報を配置し前記他のコンテンツを表す第３の表示情報と、を生成する表示情報生成手段と、
前記第１の表示モードが設定された場合、前記第１の表示情報と、前記第２の表示情報とをそれぞれ配置した第１の一覧情報を表示し、前記第２の表示モードが設定された場合、前記第１の表示情報と、前記第３の表示情報とをそれぞれ配置した第２の一覧情報を表示し、前記第１の一覧情報での前記第２の表示情報と、前記第２の一覧情報での前記第３の表示情報とを、前記他のコンテンツ毎に略同じ位置に配置する表示制御手段と、
として機能させるプログラム。
【請求項１０】
表示処理装置で実行される表示処理方法であって、
操作受付手段が、検索のキーとなるコンテンツであるキーコンテンツの選択操作を受け付けるステップと、
メタデータ取得手段が、前記キーコンテンツのメタデータと前記キーコンテンツとは異なる他のコンテンツのメタデータとを取得するステップと、
キーワード抽出手段が、前記キーコンテンツのメタデータと前記他のコンテンツのメタデータとで一致するキーワードを、つながりキーワードとして前記他のコンテンツ毎に抽出するステップと、
表示モード設定手段が、複数の表示モードを切り替えて表示モードを設定するステップと、
表示情報生成手段が、第１の前記表示モードが設定された場合、矩形状の領域に前記キーコンテンツのメタデータを用いた情報を配置し前記キーコンテンツを表す第１の表示情報と、矩形状の領域に前記他のコンテンツのメタデータを用いた情報を配置し前記他のコンテンツを表す第２の表示情報と、を生成し、第２の前記表示モードが設定された場合、前記キーコンテンツの前記第１の表示情報と、矩形状の領域に前記つながりキーワードを表すキーワード表示情報を配置し前記他のコンテンツを表す第３の表示情報と、を生成するステップと、
表示制御手段が、前記第１の表示モードが設定された場合、前記第１の表示情報と、前記第２の表示情報とをそれぞれ配置した第１の一覧情報を表示し、前記第２の表示モードが設定された場合、前記第１の表示情報と、前記第３の表示情報とをそれぞれ配置した第２の一覧情報を表示し、前記第１の一覧情報での前記第２の表示情報と、前記第２の一覧情報での前記第３の表示情報とを、前記他のコンテンツ毎に略同じ位置に配置するステップと、
を含む表示処理方法。
【発明の詳細な説明】
【技術分野】
【０００１】
本発明は、表示処理装置、プログラムおよび表示処理方法に関する。
【背景技術】
【０００２】
近年、ＡＶ機器のコンテンツ保存能力の拡大や機器内に留まらない機器間又はネットワーク上に存在するコンテンツとのシームレス性の拡大などにより、ユーザがアクセス可能なコンテンツ数は急速に増加してきている。そして、このようなコンテンツを選択視聴するための受信装置が開示されている（例えば、特許文献１参照）。
【０００３】
上記特許文献１の受信装置では、ユーザが所望するコンテンツを表示する場合、コンテンツ一覧表示からユーザによりコンテンツの選択操作がなされる。そして、選択されたコンテンツが機器内に蓄積されている場合は、そのコンテンツを読み出してデータ表示部に表示し、一方、選択されたコンテンツが機器の外部に存在する場合は、そのコンテンツを受信してデータ表示部に表示するものである。
【先行技術文献】
【特許文献】
【０００４】
【特許文献１】特開２００１−２９２３８３号公報
【発明の概要】
【発明が解決しようとする課題】
【０００５】
ところで、近年においては、ＡＶ機器などが備えているＨＤＤ（Hard Disk Drive）などの記憶媒体の大容量化が進んでいることにより、記憶媒体に記憶される映像音声データ（コンテンツ）の数も急激に増加している。そのため、視聴を所望する映像音声データ（コンテンツ）を検索する場合には、多くの過程を経なければならない。さらに、ネットワーク上の映像音声データ（コンテンツ）も表示対象に含めると、検索可能なコンテンツの数が膨大となってしまう。
【０００６】
従って、多種多様のコンテンツからユーザが視聴を所望する映像音声データ（コンテンツ）を簡単に検索することができる仕組みが望まれている。
【０００７】
本発明は、上記に鑑みてなされたものであって、多種多様のコンテンツからキーコンテンツに対する関連性のあるコンテンツを簡単に検索することができる仕組みを構築することができる表示処理装置、プログラムおよび表示処理方法を提供することを目的とする。
【課題を解決するための手段】
【０００８】
上述した課題を解決し、目的を達成するために、本発明の表示処理装置は、検索のキーとなるコンテンツであるキーコンテンツの選択操作を受け付ける操作受付手段と、前記キーコンテンツのメタデータと前記キーコンテンツとは異なる他のコンテンツのメタデータとを取得するメタデータ取得手段と、前記キーコンテンツのメタデータと前記他のコンテンツのメタデータとで一致するキーワードを、つながりキーワードとして前記他のコンテンツ毎に抽出するキーワード抽出手段と、複数の表示モードを切り替えて表示モードを設定する表示モード設定手段と、第１の前記表示モードが設定された場合、矩形状の領域に前記キーコンテンツのメタデータを用いた情報を配置し前記キーコンテンツを表す第１の表示情報と、矩形状の領域に前記他のコンテンツのメタデータを用いた情報を配置し前記他のコンテンツを表す第２の表示情報と、を生成し、第２の前記表示モードが設定された場合、前記キーコンテンツの前記第１の表示情報と、矩形状の領域に前記つながりキーワードを表すキーワード表示情報を配置し前記他のコンテンツを表す第３の表示情報と、を生成する表示情報生成手段と、前記第１の表示モードが設定された場合、前記第１の表示情報と、前記第２の表示情報とをそれぞれ配置した第１の一覧情報を表示し、前記第２の表示モードが設定された場合、前記第１の表示情報と、前記第３の表示情報とをそれぞれ配置した第２の一覧情報を表示し、前記第１の一覧情報での前記第２の表示情報と、前記第２の一覧情報での前記第３の表示情報とを、前記他のコンテンツ毎に略同じ位置に配置する表示制御手段と、を備えた。
【０００９】
また、本発明のプログラムは、コンピュータを、検索のキーとなるコンテンツであるキーコンテンツの選択操作を受け付ける操作受付手段と、前記キーコンテンツのメタデータと前記キーコンテンツとは異なる他のコンテンツのメタデータとを取得するメタデータ取得手段と、前記キーコンテンツのメタデータと前記他のコンテンツのメタデータとで一致するキーワードを、つながりキーワードとして前記他のコンテンツ毎に抽出するキーワード抽出手段と、複数の表示モードを切り替えて表示モードを設定する表示モード設定手段と、第１の前記表示モードが設定された場合、矩形状の領域に前記キーコンテンツのメタデータを用いた情報を配置し前記キーコンテンツを表す第１の表示情報と、矩形状の領域に前記他のコンテンツのメタデータを用いた情報を配置し前記他のコンテンツを表す第２の表示情報と、を生成し、第２の前記表示モードが設定された場合、前記キーコンテンツの前記第１の表示情報と、矩形状の領域に前記つながりキーワードを表すキーワード表示情報を配置し前記他のコンテンツを表す第３の表示情報と、を生成する表示情報生成手段と、前記第１の表示モードが設定された場合、前記第１の表示情報と、前記第２の表示情報とをそれぞれ配置した第１の一覧情報を表示し、前記第２の表示モードが設定された場合、前記第１の表示情報と、前記第３の表示情報とをそれぞれ配置した第２の一覧情報を表示し、前記第１の一覧情報での前記第２の表示情報と、前記第２の一覧情報での前記第３の表示情報とを、前記他のコンテンツ毎に略同じ位置に配置する表示制御手段と、として機能させる。
【００１０】
また、本発明の表示処理方法は、表示処理装置で実行される表示処理方法であって、操作受付手段が、検索のキーとなるコンテンツであるキーコンテンツの選択操作を受け付けるステップと、メタデータ取得手段が、前記キーコンテンツのメタデータと前記キーコンテンツとは異なる他のコンテンツのメタデータとを取得するステップと、キーワード抽出手段が、前記キーコンテンツのメタデータと前記他のコンテンツのメタデータとで一致するキーワードを、つながりキーワードとして前記他のコンテンツ毎に抽出するステップと、表示モード設定手段が、複数の表示モードを切り替えて表示モードを設定するステップと、表示情報生成手段が、第１の前記表示モードが設定された場合、矩形状の領域に前記キーコンテンツのメタデータを用いた情報を配置し前記キーコンテンツを表す第１の表示情報と、矩形状の領域に前記他のコンテンツのメタデータを用いた情報を配置し前記他のコンテンツを表す第２の表示情報と、を生成し、第２の前記表示モードが設定された場合、前記キーコンテンツの前記第１の表示情報と、矩形状の領域に前記つながりキーワードを表すキーワード表示情報を配置し前記他のコンテンツを表す第３の表示情報と、を生成するステップと、表示制御手段が、前記第１の表示モードが設定された場合、前記第１の表示情報と、前記第２の表示情報とをそれぞれ配置した第１の一覧情報を表示し、前記第２の表示モードが設定された場合、前記第１の表示情報と、前記第３の表示情報とをそれぞれ配置した第２の一覧情報を表示し、前記第１の一覧情報での前記第２の表示情報と、前記第２の一覧情報での前記第３の表示情報とを、前記他のコンテンツ毎に略同じ位置に配置するステップと、を含む表示処理方法である。
【発明の効果】
【００１１】
本発明によれば、多種多様のコンテンツからキーコンテンツに対する関連性のあるコンテンツを簡単に検索することができる仕組みを構築することができる、という効果を奏する。
【図面の簡単な説明】
【００１２】
【図１】図１は、本発明の第１の実施の形態にかかる表示処理装置の構成を示すブロック図である。
【図２】図２は、ＴＶ番組をコンテンツとした場合におけるメタデータの一例を示す説明図である。
【図３】図３は、つながりキーワードを説明するための説明図である。
【図４−１】図４−１は、標準モード形式の表示情報の一例を示す図である。
【図４−２】図４−２は、標準モード形式の表示情報の一例を示す図である。
【図４−３】図４−３は、探索モード形式の表示情報の一例を示す図である。
【図４−４】図４−４は、探索モード形式の表示情報の一例を示す図である。
【図５−１】図５−１は、表示情報の表示動作の詳細に関する説明図である。
【図５−２】図５−２は、表示情報の表示動作の詳細に関する説明図である。
【図６】図６は、表示情報の表示動作の詳細に関する説明図である。
【図７】図７は、表示情報の表示動作の詳細に関する説明図である。
【図８】図８は、表示情報の表示動作の詳細に関する説明図である。
【図９】図９は、表示情報の表示動作の詳細に関する説明図である。
【図１０】図１０は、標準モードにおけるキーコンテンツの表示情報と他のコンテンツの表示情報を配置した一覧情報の一例を示す図である。
【図１１】図１１は、探索モードにおけるキーコンテンツの表示情報と他のコンテンツの表示情報を配置した一覧情報の一例を示す図である。
【図１２】図１２は、表示処理装置による表示情報の表示処理の流れを示すフローチャートである。
【図１３−１】図１３−１は、変形例にかかるコンテンツの表示情報の一例を示す図である。
【図１３−２】図１３−２は、変形例にかかるコンテンツの表示情報の一例を示す図である。
【図１４】図１４は、本発明の第２の実施の形態にかかる探索モードでの一覧情報とキーワード表示情報との一例を示す図である。
【図１５】図１５は、探索モードでの一覧情報とキーワード表示情報との一例を示す図である。
【発明を実施するための形態】
【００１３】
以下に添付図面を参照して、この発明にかかる表示処理装置および表示処理方法の実施の形態を詳細に説明する。なお、以下の実施の形態においては、本発明にかかる表示処理装置を、テレビジョン（Television：ＴＶ）を備えたパーソナルコンピュータ（ＰＣ）に適用した例を示すが、これに限定されることなく、表示装置などにおいて映像等を表示できるものであれば、本発明を適用することができる。本実施の形態の表示処理装置は、ユーザが複数のコンテンツから検索のキーとなるキーコンテンツおよびそのキーコンテンツに関連するコンテンツの検索を行う場合、ユーザにより当該キーコンテンツが選択されると、そのキーコンテンツとともにキーコンテンツに関連する複数のコンテンツを表示するものである。
【００１４】
［第１の実施の形態］
本発明の第１の実施の形態を図１ないし図１３−２に基づいて説明する。まず、表示処理装置１００の機能構成について説明する。図１は、本発明の第１の実施の形態にかかる表示処理装置１００の構成を示すブロック図である。図１に示すように、表示処理装置１００は、電子番組表記憶部１５０と、録画番組記憶部１６０と、表示器である表示部１７０と、放送受信部１０８と、ＩＰＴＶ（Internet  Protocol  TeleVision）接続部１８０とを備えており、ＩＰＴＶサーバ２００とネットワークを介して接続されている。また、表示処理装置１００は、ＡＳＩＣやＣＰＵ等の処理装置、表示処理装置１００の動作を制御する所定のプログラムが格納されたＲＯＭや当該処理装置のワーク領域となるＲＡＭ等の記憶装置を備えており（何れも不図示）、当該処理装置と記憶装置に格納されたプログラムとの協働により、電子番組表記憶部１５０と、録画番組記憶部１６０と、操作受付部１０１と、メタデータ検索部１０２と、メタデータ取得部１０３と、関連度算出部１０４と、表示情報生成部１０５と、表示制御部１０６と、映像再生部１０７と、キーワード抽出部１１０と、表示モード設定部１１１との各機能部を実現する。
【００１５】
ＩＰＴＶサーバ２００は、ＩＰを利用してテレビ番組や映画などの映像を配信するサービスを提供するサーバであり、表示処理装置１００からの要求により、当該映像等のコンテンツ、該コンテンツのメタデータを配信する。
【００１６】
ＩＰＴＶ接続部１８０は、表示処理装置１００とＩＰＴＶサーバ２００とを接続するインターフェースである。
【００１７】
電子番組表記憶部１５０は、電子番組表（ＥＰＧ：Electronic  Program  Guide）を管理・配信している外部サーバから取得した電子番組表を記憶するＨＤＤやメモリ等の記憶媒体である。具体的には、インターネットなどのネットワーク網に接続されたサービス提供者のサーバ装置から、通信部（不図示）を介してＴＶ、ＣＡＴＶ、ＣＳ放送、ＢＳ放送などの電子番組表を取得し、取得した電子番組表を記憶している。ここで、電子番組表には、現在から未来のある時点（例えば、１週間後）までに放送される番組に関する情報が含まれているものとする。
【００１８】
録画番組記憶部１６０は、映像等のコンテンツを記憶するＨＤＤやメモリ等の記憶媒体である。例えば、表示処理装置１００がＨＤＤを備えたＴＶとして機能する場合は、録画番組記憶部１６０は、ＴＶ番組等を録画した映像のコンテンツを記憶することになる。また、ＤＶＤ（Digital  Versatile  Disk）の映像や、ビデオカメラで撮像した映像等をコンテンツとしてもよい。
【００１９】
また、録画番組記憶部１６０は、コンテンツ毎に当該コンテンツに関するメタデータを関連付けて記憶している。ここで「メタデータ」とは、各コンテンツに固有の特性を示した情報群であって、各コンテンツのタイトルや放送日時等が含まれる。例えば、コンテンツがＴＶ番組の場合には、ＴＶ番組のタイトル、チャンネルや放送日時、出演者、番組内容、ジャンル等の情報（番組情報）がメタデータとなり、コンテンツとともこのメタデータが提供され、録画番組記憶部１６０に記憶される。
【００２０】
図２は、ＴＶ番組をコンテンツとした場合におけるメタデータの一例を示す説明図である。図２に示すメタデータは、ＴＶ番組を録画したコンテンツに関する情報であり、ＴＶ番組のタイトル「お昼のコメディーショー」、チャンネル「○×放送」、放送日時「２００８年８月１日  １２：００〜１２：４０」、出演者「○○△、□□××」、番組内容「今旬の〜世界にいざなう」、ジャンル「お笑い」などの情報が記憶されている。
【００２１】
なお、上記では、メタデータが予め設定された状態で提供される態様を説明したが、これに限定されることなく、リモートコントローラ（以下、リモコンという。）９０などの入力装置などを介してユーザから入力された情報をメタデータとして、コンテンツと関連付けて録画番組記憶部１６０に記憶する態様としてもよい。
【００２２】
表示部１７０は、文字や画像を表示する液晶画面（ＬＣＤ）などであり、受信したＴＶ番組などのコンテンツや記憶されているコンテンツ、電子番組表などを表示するものである。また、表示部１７０は、ユーザがコンテンツの検索を行うために、後述する表示情報生成部１０５により生成されたコンテンツの内容を表わす表示情報を表示する（図４−１〜４−４参照）。
【００２３】
放送受信部１０８は、ＴＶ放送により放送された映像のコンテンツ（ＴＶ番組）を、アンテナやケーブル（不図示）を介して受信するものである。
【００２４】
映像再生部１０７は、ユーザが再生を所望する映像のコンテンツ、すなわち放送受信部１０８により受信したＴＶ番組などのコンテンツ、ＩＰＴＶ接続部１８０を介してＩＰＴＶサーバ２００から取得した映像のコンテンツ、または録画番組記憶部１６０に記憶されている映像のコンテンツを取得して、取得したコンテンツをデコード（再生）して表示制御部１０６に送出するものである。
【００２５】
操作受付部１０１は、操作受付手段として機能するものであり、操作機器が操作されたことを認識し、その操作を受け付けるものである。操作機器としては、例えば、操作ボタンが設けられたリモコン９０や、キーボード（不図示）、マウス等であり、リモコン９０での操作は操作ボタンの押下であり、キーボードでの操作はキーの操作であり、マウスでの操作はマウスの移動や操作ボタンの押下等である。そして、例えば、ユーザが複数のコンテンツから所望のコンテンツを検索し、さらにそのコンテンツと関連するコンテンツを検索する場合、表示部１７０に表示された電子番組表に表示された複数のコンテンツから検索の中心（キー）となるコンテンツ（キーコンテンツ）を、操作機器でユーザが選択すると、操作受付部１０１は、このキーコンテンツの選択操作を受け付ける。また、再生中のコンテンツをキーコンテンツとしてもよく、その場合には、コンテンツの再生中に操作機器をユーザが操作した場合、操作受付部１０１は、その再生中のコンテンツをキーコンテンツとする選択操作、すなわちコンテンツの検索を行う旨の操作を受け付ける。また、詳細は後述するが、操作受付部１０１は、表示部１７０に表示された複数のコンテンツの表示情報が表示された一覧情報から、注目するコンテンツ（注目コンテンツ）の表示情報に対する指示操作を受け付ける。
【００２６】
メタデータ取得部１０３は、メタデータ取得手段として機能するものであり、操作受付部１０１により、キーコンテンツの選択操作を受け付けた場合、全てのコンテンツ（キーコンテンツおよびキーコンテンツ以外の他のコンテンツ）のメタデータを取得するものである。具体的には、例えば、メタデータ取得部１０３は、コンテンツのメタデータを録画番組記憶部１６０から取得する。また、メタデータ取得部１０３は、ＩＰＴＶサーバ２００に対してコンテンツのメタデータを要求して、該メタデータを取得する。さらに、メタデータ取得部１０３は、電子番組表記憶部１５０に記憶されている電子番組表からコンテンツのメタデータを取得する。
【００２７】
メタデータ検索部１０２は、操作受付部１０１により、キーコンテンツの選択操作を受け付けた場合、メタデータ取得部１０３により取得したコンテンツのメタデータから、キーコンテンツのメタデータを検索し、検索したキーコンテンツのメタデータを関連度算出部１０４に送出する。さらに、メタデータ検索部１０２は、メタデータ取得部１０３により取得したキーコンテンツのコンテンツのメタデータから、関連度算出部１０４によりメタデータとの関連度を算出する対象となる他のコンテンツのメタデータを検索し、検索した他のコンテンツのメタデータを関連度算出部１０４に送出する。
【００２８】
また、メタデータ検索部１０２は、操作受付部１０１により、キーコンテンツの選択操作を受け付けた場合、メタデータ取得部１０３により取得した全てのコンテンツのメタデータを表示情報生成部１０５に送出する。
【００２９】
関連度算出部１０４は、関連度算出手段として機能するものであり、メタデータ検索部１０２から送出された選択されたキーコンテンツのメタデータと他のコンテンツのメタデータとに基づいて、キーコンテンツに対する他のコンテンツ各々の関連度を、メタデータに含まれる項目、例えば、タイトル、チャンネルごとに算出するものである。具体的に、関連度ＲＭの算出は、下記式（１）を用いて算出する。
【数１】
2011040099.tif 000003
【００３０】
上記式（１）において、Ｎはメタデータ取得部１０３で取得可能なメタデータの総数を意味している。また、キーコンテンツに対応するメタデータＭ１１（ｎ）、いずれかの他のコンテンツに対応するメタデータＭ２１（ｎ）の「（ｎ）」は、メタデータ取得部１０３で取得されるｎ番目のメタデータを意味している。また、ｆａn（Ｍ１１（ｎ）、Ｍ２１（ｎ））は、メタデータＭ１１（ｎ）とＭ２１（ｎ）との関連度をＲＭnとして返す関数であり、Ｗａnは重みを示す値（ｎ＝１、・・・、Ｎ）である。
【００３１】
ここでメタデータとして取得される情報は上述の通り多岐に渡るが、以下、説明を簡略化するため、メタデータは{録画日時、コンテンツのタイトル、チャンネル、ジャンル、出演者リスト}の５つの集合である（Ｎ＝５）とし、これら５つのメタデータを先頭からｎ＝１、２、・・・、５であるとして説明を進める。
【００３２】
すると、キーコンテンツに対する他のコンテンツの関連度ＲＭは、下記に示した５つの関連度ＲＭ1〜ＲＭ5の重み付き線形和で表すことができる。
ＲＭ1＝ｆａ1（メタデータＭ１１の録画日時、メタデータＭ２１の録画日時）
ＲＭ2＝ｆａ2（メタデータＭ１１のタイトル、メタデータＭ２１のタイトル）
ＲＭ3＝ｆａ3（メタデータＭ１１のチャンネル、メタデータＭ２１のチャンネル）
ＲＭ4＝ｆａ4（メタデータＭ１１のジャンル、メタデータＭ２１のジャンル）
ＲＭ5＝ｆａ5（メタデータＭ１１の出演者リスト、メタデータＭ２１の出演者リスト）
【００３３】
ｆａ1は、例えば、録画日時が近い程大きな値をとり、遠くなる程小さな値を取る関数である。具体的には、例えば、ＭＯ１／｜ｒｅｃ＿ｄａｔａ（Ｍ１１）−ｒｅｃ＿ｄａｔａ（Ｍ２１）｜等の関係式を用いることができる。ここで、ｒｅｃ＿ｄａｔａ（ｘ）は、ｘの録画日時を一意の整数化する関数であり、ある基準日時を０として、そこからの経過秒数などに整数化する関数である。またＭＯ１は任意の定数であり、｜Ｘ｜はＸの大きさを示す関数であり、典型的には絶対値である。
【００３４】
なお、ここでは、ｆａ1（Ｍ１１、Ｍ２１）＝ｇ（ｒｅｃ＿ｄａｔａ（Ｍ１１）−ｒｅｃ＿ｄａｔａ（Ｍ２１））とした場合、ｇ（ｘ）＝ＭＯ１／｜Ｘ｜という関数であるｇを用いた例を示したが、これに限定されるものではない。Ｌ２ノルムなどを使用するようなｇ、例えば、ｇ（ｘ）＝ＭＯ１／｜｜ｘ｜｜のようなものであってもよい。この場合、｜｜ｘ｜｜は、ｘを構成するそれぞれの要素の差の自乗合計の平方根をとったものとなる。
【００３５】
また、ｇ（ｘ）は、シグモイド関数等を用いてもよいし、ガンマ関数等を用いてもよい。なお、上記ではメタデータＭ１１とＭ２１が近い時に大きな値をとるような例を示したが、これに限定されるものではない。逆に小さな値をとるように構成することとしてもよい。また、特定の条件の時に大きな値をとるような関数ｇを用いることもできる。
【００３６】
ｆａ2は、例えば、メタデータＭ１１とＭ２１とのタイトル文字列に同様の文字列が多く含まれている程大きな値をとるような関数で実現される。例えば、Ｍ１１のタイトルが“あいうえお”、Ｍ２１のタイトルが“かきうえこ”ならば、間の“うえ”の２文字が両者に含まれている。一方、“あいうえお”と“かきくけお”の場合は、１文字が両者に含まれているため、前者の方がｆａ2の値が大きくなる。なお、番組内容に含まれるキーワードにより関連度を判断する場合も、タイトルと同様に算出することが可能である。
【００３７】
以上では単純に両者に含まれている文字数の比較による例を示したが、これに限定されるものではない。例えば、先頭からの共通の文字数が多い方をより大きな値をとるようにする、であるとか、共通の文字が無くても、同様の概念を含むものならば共通と見なすとかといったような条件をさらに加えることとしてもよい。後者の例としては、例えば、“野球”と“ベースボール”を同様とみなし、これらがそれぞれに含まれている場合は、共通文字列が含まれていると見なすなどといったようなものである。
【００３８】
また、メインの文字列が同じで、サブの文字列が異なる場合には、これらは共通のシリーズのコンテンツであることが多いため、このような場合には、よりｆａ2の値を大きくするなどといったこともあり得る。例えば、“あいうえお＃２”と、“あいうえお＃３”は、同じドラマコンテンツの異なる回であるとみなせるため、このような場合には、ｆａ2の値を２倍するなどといったようなものである。なお、以上での説明はあくまでも一例であり、曖昧検索などの公知の技術を用いたり、正規表現による検索などの公知の技術を用いたりすることで、以上で説明したよりも高度な比較を行うことが可能となる。
【００３９】
ｆａ3は、例えば、メタデータＭ１１とＭ２１とのチャンネルが同じ場合は大きな値をとるような関数である。単純には、チャンネルが同じ場合は、値ＭＯ２を、そうでない場合には値０をとる関数として実現できる。ここで、ＭＯ２は任意の定数である。さらに拡張して、同系列のチャンネルの場合には、別の値をとるようにしてもよい。例えば、同じ系列局の場合には、値ＭＯ２／２を返す関数とすることとしてもよい。また、同系列だが放送メディアが異なるような場合には、ＭＯ２／４を返す関数とすることとしてもよい。なお、以上で説明した態様はあくまでも一例であり、任意の関数を用いることが可能である。
【００４０】
ｆａ4は、例えば、メタデータＭ１１とＭ２１とのジャンルが同じ場合は大きな値をとるような関数である。例えば、Ｍ１１とＭ２１とが双方とも「スポーツ」というジャンルの場合、値ＭＯ３を、そうでない場合には値０を取り、さらに、Ｍ２１がＭ１１のサブジャンルである場合、例えば、Ｍ１１のジャンルが「スポーツ」、Ｍ２１のジャンルが「野球」である場合には、ＭＯ３／２を取るような関数とすることとしてもよい。また、Ｍ１１のジャンルとＭ２１のジャンルが直接同じでなくとも双方の親となるジャンルが同じとなる場合、例えば、Ｍ１１のジャンルが「野球」、Ｍ２１のジャンルが「サッカー」の場合には、双方の親ジャンルは「スポーツ」で同じであるため、ＭＯ３／４を取るといった関数とすることとしてもよい。なお、以上で説明した態様はあくまでも一例であり、任意の関数を用いることが可能である。
【００４１】
ｆａ5は、ｆａ4と同様である。例えば、メタデータＭ１１とＭ２１との登場人物リストが夫々「ＷＷ、ＸＸ、ＹＹ」、「ＸＸ、ＹＹ、ＺＺ」の場合には、共通の登場人物は２人となるため、２×ＭＯ４を取り（ここでＭＯ４は任意の定数値）、共通の登場人物が居ない場合には０を取るような関数を用いることができる。また、登場人物にはグループも含まれるため、ある登場人物ＫＫがグループＸＸのメンバであった場合、「ＶＶ、ＷＷ、ＸＸ」、「ＫＫ、ＹＹ、ＺＺ」のようなメタデータＭ１１、Ｍ２１があったときに、Ｍ１１にはグループＸＸが出演、すなわち、このメンバのＫＫも出演、Ｍ２１にはグループＸＸは出演していないが、メンバであるＫＫは出演しているため、このような場合には、ＭＯ４／２を返すようにすることとしてもよい。
【００４２】
同様に、登場グループや登場人物の関係が定義される場合、例えば、グループＸＸとグループＹＹは同じ所属事務所であるなどといったような場合には、ＭＯ４／４を返すといったようにも拡張することとしてもよい。この場合、人物とグループ間の関係又は各人物、グループの所属する所属事務所間の関係は、メタデータ内に定義されている態様としてもよいし、外部のサーバ（情報サイト）から取得する態様としてもよい。
【００４３】
なお、以上では、登場人物リストに登場する人に対して関連度の区別をしない例を示したが、これに限定されるものではない。登場人物リストに出現する順番によって、さらに重み付けされる態様としてもよい。例えば、メタデータＭ１１の１番目に出てくる人との比較の場合は算出した関連度はそのままとし、２番目ならば関連度を１／２、３番目なら１／３とするといったように出現する順番に応じて重み付けを変化させることとしてもよい。また、メタデータＭ１１での順番とＭ２１での順番を両方とも加味する態様としてもよい。例えば、メタデータＭ１１の２番目の人物と、メタデータＭ２１の３番目の人物とを比較する場合、メタデータＭ１１の２番目ならば１／２、メタデータＭ２１の３番目ならば１／３となるため、トータルの関連度を１／２×１／３＝１／６とするようにしてもよい。また、メタデータとして、主演などの情報を用いて、主演者に対する関連度の重み付けを変えるようにしてもよい。例えば、主演の場合には算出した関連度を２倍するといったように重み付けを変化させることができる。
【００４４】
キーワード抽出部１１０は、キーワード抽出手段として機能するものであり、キーコンテンツに対する他のコンテンツの関連度の算出にかかる項目の中からその関連度の大きさに寄与する項目を、つながりキーワードとして他のコンテンツ毎に抽出するものである。
具体的には、キーコンテンツのメタデータと他のコンテンツのメタデータとの間で一致するキーワードをつながりキーワードとする。つながりキーワードの種類は、例えば、タイトル名、人物名、ジャンル名、放送局、詳細情報等から抽出した文章や単語等である。ここで、例えば、キーワードの一致には、完全一致の他に、“野球”と“ベースボール”のように同じ内容を指すキーワードも一致とみなす。このつながりキーワードの一例を図３を参照しながら説明する。図３は、つながりキーワードについて説明するための説明図である。図３に示す例では、他のコンテンツのメタデータに含まれるキーワードのうち「アジア」、「ヒマラヤ山脈」、「旅人」、「Ｄ」、「バラエティ」、「××ＴＶ放送」が、キーコンテンツのメタデータの中にも存在している。したがって、この場合、「アジア」、「ヒマラヤ」、「旅人」、「Ｄ」、「バラエティ」、「××ＴＶ放送」が、この他のコンテンツのつながりキーワードである。なお、図３では、上記の各つなかりキーワードを、説明の便宜上、仮想線枠で囲繞して示してある。
【００４５】
そして、キーワード抽出部１１０は、一つの他のコンテンツに対してつながりキーワードが複数ある場合には、キーコンテンツに対する関連度の大きさに対する寄与が大きい順につながりキーワードを表示するため優先度を設定し、つながりキーワードおよびその優先度情報を表示情報生成部１０５に送出する。
【００４６】
表示情報生成部１０５は、メタデータ検索部１０２から送出されたキーコンテンツのメタデータおよび他のコンテンツのメタデータから、キーコンテンツおよび他のコンテンツの内容を表わす表示情報を生成するとともに、キーワード抽出部１１０から送出されたつながりキーワードとその優先度情報とから、つながりキーワードを示すキーワード表示情報を生成するものである。ここで、表示処理装置１００は、表示モードとして標準モードおよび探索モードの２つの表示モードを備えており、表示情報生成部１０５は、設定された表示モードに応じて異なる表示情報を生成する。具体的には、表示情報生成部１０５は、表示モードが標準モードの場合には、キーワード表示情報を含まない標準モード形式の表示情報を生成し、表示モードが探索モードの場合には、キーワード表示情報を含む探索モード形式の表示情報を生成する。また、表示情報生成部１０５は、コンテンツの代表画像の有無を判断し、代表画像の有無に応じてコンテンツの表示情報の表示形態を異ならせる。表示情報生成部１０５は、メタデータ検索部１０２から送出されたメタデータを検索することで、代表画像の有無を判断する。なお、表示モードの切替は、ユーザによって操作機器が操作されることで行われる。
【００４７】
表示情報生成部１０５は、具体的には、例えば、コンテンツが録画番組記憶部１６０に記憶された映像データのメタデータに基づいて、当該映像データの代表画像にタイトル等を付随させることで、表示部１７０に表示可能とした表示情報を生成する。また、例えば、表示情報生成部１０５は、コンテンツがＩＰＴＶサーバ２００から取得した映像データのメタデータに基づいて、当該映像データの代表画像にタイトル等を付随させることで、表示部１７０に表示可能とした表示情報を生成する。また、例えば、表示情報生成部１０５は、電子番組表記憶部１５０に記憶された電子番組表に基づいて、ＴＶ番組のタイトル、放送日時、チャンネル、番組内容等を、表示部１７０に表示可能とした表示情報を生成する。
【００４８】
また、表示情報生成部１０５は、キーワード抽出部１１０が抽出したつながりキーワードを、表示部１７０に表示可能としたキーワード表示情報を生成する。また、表示情報生成部１０５は、一つの他のコンテンツに対してつながりキーワードが複数ある場合には、キーコンテンツに対する関連度の大きさに対する寄与が大きい順に複数のつながりキーワードを並べて配置する。また、表示情報生成部１０５は、他のコンテンツの表示情報に当該表示情報に対応するキーワード表示情報を含ませる。
【００４９】
標準モード形式の表示情報は、上記の表示情報のみで構成される一方、探索モード形式の表示情報は、表示情報と探索モード形式の表示情報とから構成される。即ち、標準モード形式の表示情報は、コンテンツ自体の情報を中心に表示するものであり、その内容は、代表画像、タイトル、放送局、情報チャンネル番号、ジャンル、放送日時等である。一方、探索モード形式の表示情報は、つながりキーワードを強調して表示するものであり、コンテンツ自身の情報は、コンテンツの判別が可能な程度（例えばタイトルのみ等）で表示する。なお、探索モード形式の表示情報では、つながりキーワードのみを表示しても良い。つながりキーワードの表示方法は、例えばテキスト、アイコン、画像等である。ここで、キーワード毎にアイコンや画像が対応付けられた変換テーブルが記憶装置に記憶されており、表示情報生成部１０５は、その変換テーブルに基づいて、つながりキーワードをアイコンや画像に変換する。
【００５０】
コンテンツの標準モード形式および探索モード形式の表示情報の詳細について説明する。図４−１、図４−２は、標準モード形式の表示情報の一例を示す図、図４−３、図４−４は、探索モード形式の表示情報の一例を示す図である。これらの表示情報は、矩形状の領域に各種の情報を配置したものである。
【００５１】
図４−１では、録画番組記憶部１６０に記憶された映像データのメタデータに基づいて生成されたコンテンツの標準モード形式の表示情報Ｃを示してある。なお、キーコンテンツと他のコンテンツとを特段に区別しないで説明する場合には、標準モード形式の表示情報の符号としてＣを用いることとし、コンテンツ同士を区別して説明する場合には、符号として例えばＣ１などを用いることとする。図４−１に示すように、標準モード形式の表示情報Ｃは、領域Ｃａにそのコンテンツのサムネイル形式の代表画像が表示され、領域Ｃｂにそのコンテンツ（映像）のタイトル（例えば、「なんでも調査隊第５回九州特集」）が表示され、領域Ｃｃにそのコンテンツのその他の情報がアイコンやテキスト等で表示されている。コンテンツのその他の情報は、例えば、放送局、ジャンル、放送日時、録画日時等である。また、図４−２では、電子番組表に基づいて生成されたコンテンツの標準モード形式の表示情報Ｃを示してある。図４−２に示すように、標準モード形式の表示情報Ｃは、領域Ｃａにそのコンテンツの放送日時が表示され、領域Ｃｂにそのコンテンツのタイトルが表示され、領域Ｃｃにそのコンテンツのその他の情報がアイコンやテキスト等で表示されている。このように、本実施の形態では、図４−１に示すようにコンテンツの代表画像が有る場合には、標準モード形式の表示情報Ｃの領域Ｃａにその代表画像を表示し、図４−２に示すようにコンテンツの代表画像が無い場合には、標準モード形式の表示情報Ｃの領域Ｃａに放送日時を表示する。
【００５２】
図４−３では、例えば録画番組記憶部１６０に記憶された映像データのメタデータに基づいて生成されたコンテンツの探索モード形式の表示情報ＣＡを示してある。なお、キーコンテンツと他のコンテンツとを特段に区別しないで説明する場合には、探索モード形式の表示情報の符号としてＣＡを用いることとし、コンテンツ同士を区別して説明する場合には、符号として例えばＣＡ１などを用いることとする。図４−３に示すように、探索モード形式の表示情報ＣＡには、キーワード表示情報Ｄが含まれている。具体的には、探索モード形式の表示情報ＣＡは、領域ＣＡａにキーワード表示情報Ｄのつながりキーワード（例えば、九州、調査、郷土料理、温泉）が表示され、領域ＣＡｂにそのコンテンツ（映像）のタイトル（例えば、「なんでも調査隊第５回九州特集」）が表示され、領域ＣＡｃにそのコンテンツのその他の情報がアイコンやテキスト等で表示されている。ここで、キーワード表示情報Ｄにおけるつながりキーワードは、キーコンテンツに対する関連度の大きさに対する寄与が大きい順に、１行目の左から右へ並べられ且つ１行目〜下方の行へ並べられており、図４−３では、「九州」、「調査」、「郷土料理」、「温泉」の順に並べられている。この並びは、キーワード抽出部１１０から送出されたつながりキーワードの優先度に基づいて行われる。また、コンテンツのその他の情報は、例えば、放送局、ジャンル、放送日時、録画日時等である。また、図４−４の例は、基本的には図４−３の例と同じであるが、キーワード表示情報Ｄのつながりキーワードの一部がアイコンＤａで示されている点が図４−３の例に対して主に異なっている。
【００５３】
表示制御部１０６は、表示制御手段として機能するものであり、映像再生部１０７により送出されたコンテンツを表示部１７０に再生表示するものである。
【００５４】
また、表示制御部１０６は、上述したように操作受付部１０１がユーザからコンテンツの検索を行う旨の操作を受け付けた場合、ユーザが検索を行うための、キーコンテンツの表示情報とキーコンテンツに関連性を持つ他のコンテンツの表示情報とを一覧表示した一覧情報を表示部１７０に表示する。このとき、表示制御部１０６は、表示モードが標準モードの場合には、表示情報として標準モード形式の表示情報を用いた一覧情報（以後、標準一覧情報ともいう）を表示する一方、表示モードが探索モードである場合には、表示情報として探索モード形式の表示情報を用いた一覧情報（以後、探索一覧情報ともいう）を表示する。この探索一覧情報を表示することで、表示制御部１０６は、一覧情報に表示情報が表示される他のコンテンツのつながりキーワード情報を当該他のコンテンツの表示情報に対応させて表示するものである。
【００５５】
これらの標準一覧情報および探索一覧情報では、コンテンツの表示情報の内容は異なるが、そのキーコンテンツおよび他の表示情報の配置は同じである。したがって、標準一覧情報と探索一覧情報とを特段に区別しないで説明する場合には、それらを単に一覧情報として説明する。一覧情報は、キーコンテンツの表示情報を所望の位置に配置するとともに、当該キーコンテンツの表示情報の位置を中心に同心形状に形成された複数の多角形上であって、リモコン９０に設けられた操作ボタンとしての例えば十字キーや、キーボードの例えば十字キーによる操作方向に沿う形状で、他のコンテンツの表示情報をそれぞれ配置したものである。また、一覧情報では、他のコンテンツ表示情報は、中心から放射方向に向けて項目ごとに分別された所定領域に、中心近傍から関連度の高い順にそれぞれ配置される。また、一覧情報は、キーコンテンツの表示情報の表示サイズを最大とし、中心近傍から離れるに従って他のコンテンツの表示情報の表示サイズを小さくして表示される。この表示情報の表示動作の詳細について、図面を参照して説明する。図５−１〜図１１は、表示情報の表示動作の詳細に関する説明図である。なお、図５−１〜図１０は、一覧情報の例として標準一覧情報を示してあり、図１１は、探索一覧情報を示している。また、図５−１以降では、コンテンツの表示情報Ｃ，ＣＡを簡素化して示してある。
【００５６】
まず、図５−１に示すように、表示制御部１０６は、キーコンテンツの表示情報Ｃ１を所望の位置に配置し、キーコンテンツの表示情報Ｃ１を中心にｘ軸正方向、ｘ軸負方向、ｙ軸正方向、ｙ軸負方向の４軸（軸１〜４）を設定し、選択されたキーコンテンツのメタデータに含まれている項目を各軸に割り当てて配置する。図２を参照すると、例えば、メタデータに含まれる項目としては、ＴＶ番組（コンテンツ）の「タイトル」、出演者を示す「人物」、番組内容に含まれる検索を行う際の「キーワード」、ＴＶ番組の「ジャンル」などを割り当てる。この各軸に割り当てた項目は、ユーザがキーコンテンツに関連する他のコンテンツを検索する際の指標として用いることができる。
【００５７】
そして、表示制御部１０６は、図５−２に示すように、各項目を示す各軸をそれぞれ含む任意の角度、例えば軸を含む９０度で、中心にあるキーコンテンツの表示情報Ｃ１から放射方向に向けて領域を分別することで、各軸を含む所定の表示領域（領域１〜４）を生成する。
【００５８】
次に、表示制御部１０６は、図６に示すように、キーコンテンツの表示情報Ｃ１の位置を中心とした同心形状に形成された複数の８角形Ｆ１、Ｆ２…上であって、リモコン９０の操作ボタンやキーボードキーによる上下左右の操作方向に沿う形状で、他のコンテンツの表示情報を配置していく。つまり、表示制御部１０６は、８角形Ｆ１の頂点には、他のコンテンツの表示情報Ｃ１１〜１８までの８個の表示情報を配置する。また、表示制御部１０６は、８角形Ｆ２の頂点には、他のコンテンツの表示情報Ｃ２１、２３、２５、２７、２９、３１、３３、３５の８つの表示情報を配置し、それぞれの表示情報の間に、操作方向に沿うように他のコンテンツの表示情報Ｃ２２、２４、２６、２８、３０、３２、３４、３６の８個の表示情報を配置する。以下同様に、８角形の頂点に他のコンテンツの表示情報を８つ配置し、それぞれの表示情報の間にさらに他のコンテンツの表示情報を配置していく。このように他のコンテンツの表示情報を配置すると、いずれの表示情報から上下左右の操作がなされても、その操作方向に沿って、その表示情報以外の表示情報が配置されることになる。
【００５９】
このとき、表示制御部１０６は、図７に示すように、他のコンテンツの表示情報を、キーコンテンツの表示情報Ｃ１が配置されている中心近傍から外側に向かって、キーコンテンツとの関連度の高い順に配置する。すなわち、表示制御部１０６は、図６で示すと、８角形Ｆ１上に、最もキーコンテンツとの関連度が高い他のコンテンツの表示情報を配置し、さらに、Ｆ２、Ｆ３…（不図示）上に、関連度の高い順に他のコンテンツの表示情報を配置していく。
【００６０】
また、表示制御部１０６は、先に分別した表示領域の項目ごとに、キーコンテンツとの関連度が高い順に他のコンテンツの表示情報を配置していく、即ち、表示制御部１０６は、他のコンテンツを各表示領域の項目（各軸の項目）毎に分類する。表示制御部１０６は、図８に示すように、境界線Ｂ１と境界線Ｂ４とで囲まれた領域１、境界線Ｂ１と境界線Ｂ２とで囲まれた領域２、境界線Ｂ２と境界線Ｂ３とで囲まれた領域３、および境界線Ｂ３と境界線Ｂ４とで囲まれた領域４に割り当てられた領域の項目ごとに、図８の表示情報上に示した数字の順番で他のコンテンツの表示情報を配置することで、項目ごとにキーコンテンツとの関連度が高い順に中心近傍から他のコンテンツの表示情報を配置できる。
【００６１】
なお、表示情報Ｃ１１、２１、４１は、領域１または領域２のいずれにも属することができる位置であるが、例えば、キーコンテンツに対する関連度が所定の閾値よりも高い他のコンテンツをより多く有する項目の領域に属するように設定できる。つまり、図８における表示情報Ｃ１１、２１、４１は、領域１の項目より、領域２の項目の方が、所定の閾値より高い関連度を有する他のコンテンツをより多く存在するため、領域２に属している。また、表示情報Ｃ１３、２５、４７、１５、２９、５３、１７、３３、５９についても同様である。
【００６２】
なお、ここでは、各境界線付近に表示される表示情報を、キーコンテンツとの関連度の高さによりいずれの項目の領域に属するかを判断しているが、これに限定されることなく、例えば、キーコンテンツとの関連する他のコンテンツの総数が多い項目の領域に、各境界線付近に表示される表示情報を属するように構成してもよい。
【００６３】
また、図９に示すように、表示制御部１０６は、キーコンテンツの表示情報の表示サイズを最大とし、中心近傍から離れるに従って他のコンテンツの表示情報の表示サイズを小さくして表示する。また、表示制御部１０６は、他のコンテンツの表示情報が複数の領域に属する場合、いずれか一つの領域に表示する。具体的には、表示制御部１０６は、他のコンテンツの表示情報が領域１、２の両領域に属する場合、キーコンテンツに対する関連度が最も高い項目の領域に表示する。
【００６４】
表示制御部１０６は、このようにしてキーコンテンツの表示情報Ｃ１と他のコンテンツの表示情報Ｃ１１〜を配置した一覧情報を生成し、生成した一覧情報を表示部１７０に表示する。なお、表示情報の配置位置および表示サイズは、予め表示制御部１０６が記憶しており、キーコンテンツに対する関連度を算出した後に、他のコンテンツの表示情報を所定の表示サイズにして順番に配置していく。図１０は、標準モードでのキーコンテンツの表示情報Ｃ１と他のコンテンツの表示情報Ｃ１１〜を配置した一覧情報の一例を示す図である。図１０の一覧情報では、上側に「タイトル」、右側に「人物」、下側に「キーワード」、左側に「ジャンル」の項目が表示されており、キーコンテンツの表示情報Ｃ１を中心位置として、他のコンテンツの表示情報が中心近傍から外側に向けて配置されている。
【００６５】
また、本実施の形態では、上下左右の操作方向に沿う形状で他のコンテンツの表示情報を配置したため、例えば、検索中における注目コンテンツが表示情報Ｃ３０であった場合に、リモコン９０の操作ボタンやキーボードキーにより左右の指示操作を受け付けると、矢印Ａのように注目コンテンツが変わっていく。また、検索中における注目コンテンツが表示情報Ｃ３０であった場合に、リモコン９０の操作ボタンやキーボードキーにより上下の指示操作を受け付けると、矢印Ｂのように注目コンテンツが変わっていく。また、例えば、注目コンテンツが表示情報Ｃ１１であった場合に、指示操作を受け付けて右にカーソル１つ分移動すると、表示情報Ｃ３６へ注目コンテンツが変わる。同じく、上にカーソル１つ分移動すると表示情報Ｃ２２へ、左にカーソル１つ分移動すると表示情報Ｃ１２へ、下にカーソル１つ分移動すると表示情報Ｃ１８へ注目コンテンツが変わることになる。これより、リモコン９０の十字キーなどの操作ボタンやキーボードの十字キーなどのキーからの指示操作が行いやすくなる。
【００６６】
そして、表示制御部１０６は、標準モードの場合には、図６に示すように、表示情報として標準モード形式の表示情報を用いた標準一覧情報を表示部１７０に表示し、探索モードの場合には、図１１に示すように、表示情報として探索モード形式の表示情報を用いた探索一覧情報を表示部１７０に表示する。このとき、標準一覧表と探索一覧表との切り替えを行っても一覧表示されるコンテンツおよびその表示情報の配置は相互に同じものである。これによって、表示制御部１０６は、コンテンツの標準モード形式の表示情報とそのコンテンツの探索モード形式の表示情報におけるキーワード表示情報Ｄとを対応付けて表示している。これらの一覧情報では、キーコンテンツの表示情報の位置から関連度の高い順に他のコンテンツをそれぞれ配置してあり、且つ探索一覧情報にはキーワード表示情報Ｄが含まれているので、探索一覧情報では、キーコンテンツの表示情報の位置から関連度の高い順に他のコンテンツをそれぞれ配置した一覧情報とキーワード表示情報Ｄとが表示部１７０に表示される。
【００６７】
なお、表示制御部１０６は、キーワード表示情報Ｄ中のつながりキーワード毎に色を変更しても良い。例えば、コンテンツのキーワード表示情報Ｄ中に表示されたつながりキーワードである「北京」、「中国」を、それぞれ赤、青等と相互に異なる色にして良い。
【００６８】
表示モード設定部１１１は、表示モード設定手段として機能するものであり、表示モードとして標準モードと探索モードとのうちの一方を設定するものである。この表示モードの設定は、例えば、記憶装置に表示モードフラグ領域を設け、標準モードの場合には表示モードフラグ領域にフラグを立てず、探索モードの場合に表示モードフラグ領域にフラグを立てるようにすることで行われる。表示モード設定部１１１は、例えば、ユーザが操作機器の操作ボタンにより表示モードとして標準モードと探索モードとのうちの一方を指定する操作をし、この操作を操作受付部１０１が受け付けた場合、その指定されたモードに表示モードを設定する。また、表示モード設定部１１１が行う表示モードの設定の別例として、表示モード選択メニュー画面を表示部１７０に表示し、ユーザによる操作機器の操作によって選択メニュー画面から表示モードが選択操作されるのを受けて行っても良い。また、この表示モードの設定の別例として、一定時間毎に標準モードと探索モードとを自動で切り替えても良い。また、この表示モードの設定の別例として、注目コンテンツを変更した等のユーザが操作機器によって行う操作を受けた時に、所定の表示モードに切り替えるようにしても良い。
【００６９】
次に、以上のように構成された表示処理装置１００による表示情報の表示処理について説明する。図１２は、表示処理装置１００による表示情報の表示処理の流れを示すフローチャートである。
【００７０】
まず、操作受付部１０１は、操作機器から、キーコンテンツの選択操作を受け付けるまで待機する（ステップＳ１０：Ｎｏ）。選択操作を受け付けた場合（ステップＳ１０：Ｙｅｓ）、メタデータ取得部１０３は、選択されたキーコンテンツのメタデータを取得する（ステップＳ１１）。次に、メタデータ取得部１０３は、キーコンテンツ以外の他のコンテンツのメタデータを取得する（ステップＳ１２）。
【００７１】
そして、関連度算出部１０４により、キーコンテンツに対する他のコンテンツ各々の関連度を、メタデータに含まれる項目ごとに算出する（ステップＳ１３）。そして、表示制御部１０６は、キーコンテンツに対する他のコンテンツ各々の関連度に応じてキーコンテンツおよび他のコンテンツの表示情報を配置するための配置情報を生成する（ステップＳ１４）。
【００７２】
そして、表示モード設定部１１１によって表示モードが探索モードに設定されている場合には（ステップＳ１５：Ｙｅｓ）、表示情報生成部１０５は、つながりキーワードとその優先度情報を取得し（ステップＳ１６）、探索モード形式の表示情報を生成する（ステップＳ１７）。そして、表示制御部１０６は、探索モード形式の表示情報を配置した一覧情報（探索一覧情報）を生成し（ステップＳ１８）、生成したその一覧情報を表示部１７０に表示する（ステップＳ１９）。
【００７３】
一方、表示モード設定部１１１によって表示モードが探索モードではなく標準モードに設定されている場合には（ステップＳ１５：Ｎｏ）、表示情報生成部１０５は、標準モード形式の表示情報を生成する（ステップＳ２０）。そして、表示制御部１０６は、標準モード形式の表示情報を配置した一覧情報（標準一覧情報）を生成し（ステップＳ２１）、生成したその一覧情報を表示部１７０に表示する（ステップＳ１９）。
【００７４】
また、表示制御部１０６は、さらに、スクロール部（図示せず）を備えており、さらに以下の機能を備えている。操作受付部１０１により、操作機器が操作されることで、注目するコンテンツ（注目コンテンツ）の表示情報を指示する指示操作を受け付けた場合、スクロール部は、その操作方向に一覧情報を所定の表示範囲で移動することでスクロールするものである。このとき、表示制御部１０６は、スクロール部のスクロールによる一覧情報の移動量に関わらず、キーコンテンツの表示情報の表示範囲内への表示を維持する。また、表示制御部１０６は、操作機器からの操作により指示されて注目コンテンツとなった他のコンテンツの表示情報の表示サイズを、指示されていない他のコンテンツの表示情報の表示サイズより大きくして表示する。
【００７５】
以上説明したように、本実施の形態では、表示処理装置１００は、キーコンテンツの表示情報の位置から関連度の高い順に他のコンテンツの表示情報をそれぞれ配置した一覧情報を表示する表示制御部１０６を備え、表示制御部１０６は、一覧情報に表示情報が表示される他のコンテンツのキーワード表示情報Ｄを当該他のコンテンツの表示情報に対応させて表示する。したがって、ユーザは、キーワード表示情報Ｄ中のつながりキーワードによって、キーコンテンツと他のコンテンツとのつながりを把握することができ、コンテンツの内容を把握し易くなる。よって、ユーザは、操作機器からの操作により、膨大なコンテンツからキーコンテンツに関連するコンテンツを容易に検索できることになる。
【００７６】
また、本実施の形態では、表示情報生成部１０５は、一つの他のコンテンツに対してつながりキーワードが複数ある場合には、関連度の大きさに対する寄与が大きい順に複数のつながりキーワードを並べて配置する。したがって、ユーザに、関連度の大きさに対する寄与が大きなつながりキーワードを優先的に提供することができる。
【００７７】
また、本実施の形態では、表示情報生成部１０５は、他のコンテンツの表示情報に当該表示情報に対応するキーワード表示情報Ｄを含ませる。したがって、キーワード表示情報Ｄがどのコンテンツのものなのかをユーザに直感的に把握させることができる。
【００７８】
また、本実施の形態では、表示制御部１０６は、表示モードが標準モードである場合には、表示情報として標準モード形式の表示情報を用いた一覧情報を表示する一方、表示モードが探索モードである場合には、表示情報として探索モード形式の表示情報を用いた一覧情報を表示する。したがって、ユーザに、異なる形式の２つの表示情報を選択的に提供することができる。そして、このように２つの表示モードを設けることで、限られた表示領域に目的に合わせて必要な情報を表示することができる。具体的には、探索モードにすることで、ユーザは、つながりキーワードを一見でき他のコンテンツの探索がし易くなる。また、標準モードにすることで、ユーザは、コンテンツの詳しい内容を把握し易くなる。
【００７９】
また、本実施の形態では、表示制御部１０６によってキーワード表示情報Ｄ中のつながりキーワード毎に色を変更することにより、ユーザは、同一のつながりキーワードを有する他のコンテンツ同士を容易に見つけることができる。
【００８０】
また、本実施の形態では、表示情報生成部１０５は、コンテンツの代表画像の有無を判断し、その代表画像の有無に応じてコンテンツの表示情報の表示形態を異ならせる。したがって、代表画像の有無に応じたコンテンツの表示情報をユーザに提供することができる。
【００８１】
本実施の形態の表示処理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供される。
【００８２】
また、本実施の形態の表示処理装置で実行されるプログラムを、インターネット等のネットワークに接続されたコンピュータ上に格納し、ネットワーク経由でダウンロードさせることにより提供するように構成しても良い。また、本実施の形態の表示処理装置で実行されるプログラムをインターネット等のネットワーク経由で提供または配布するように構成しても良い。
【００８３】
また、本実施の形態の表示処理プログラムを、ＲＯＭ等に予め組み込んで提供するように構成してもよい。本実施の形態の表示処理装置で実行される表示処理プログラムは、上述した各部（操作受付部１０１、メタデータ検索部１０２、メタデータ取得部１０３、関連度算出部１０４、表示情報生成部１０５、表示制御部１０６、映像再生部１０７、放送受信部１０８、キーワード抽出部１１０、表示モード設定部１１１）を含むモジュール構成となっており、実際のハードウェアとしてはＣＰＵ（プロセッサ）が上記記憶媒体から表示処理プログラムを読み出して実行することにより上記各部が主記憶装置上にロードされ、操作受付部１０１、メタデータ検索部１０２、メタデータ取得部１０３、関連度算出部１０４、表示情報生成部１０５、表示制御部１０６、映像再生部１０７、放送受信部１０８、キーワード抽出部１１０、表示モード設定部１１１が主記憶装置上に生成されるようになっている。
【００８４】
次に、本実施の形態の変形例にかかるコンテンツの表示情報について図１３−１および図１３−２を参照しながら説明する。図１３−１は、本変形例にかかるコンテンツの表示情報であってコンテンツの代表画像が有る場合の表示情報を示す図、図１３−２は、本変形例にかかるコンテンツの表示情報であってコンテンツの代表画像が無い場合の表示情報を示す図である。本変形例では、コンテンツの代表画像が有る場合での標準モード形式の表示情報Ｃは、図１３−１に示すように、領域Ｃｄにそのコンテンツのサムネイル形式の代表画像が表示され、領域Ｃｅにそのコンテンツ（映像）のタイトルが表示され、領域Ｃｆにそのコンテンツの放送日が表示される。また、領域Ｃｄの上部の左隅部には、ジャンルを示すジャンルアイコンが表示され、領域Ｃｄの上部の右隅部には、他のアイコンＣｈが表示される。この他のアイコンＣｈは、例えば、放送局や、チャンネル番号、ＶＯＤ、事業者名等を示すものである。この他のアイコンは、図では２個配置された例を示してあるが、１個でも良いし３個以上であってもよい。また、領域Ｃｅには、他のアイコンＣｉが表示されており、この他のアイコンＣｉは例えば録画予約や視聴予約の有りを示す予約アイコン等である。また、この表示情報Ｃでは、領域Ｃｄ、領域Ｃｅ、領域Ｃｆの順で表示面積が小さくなっている。
【００８５】
一方、コンテンツの代表画像が無い場合での標準モード形式の表示情報Ｃは、図１３−２に示すように、領域Ｃｄに、ジャンルアイコンＣｇ、他のアイコンＣｈおよび放送日時が表示され、領域Ｃｅに、そのコンテンツ（映像）のタイトルおよび詳細情報が表示される。また、領域Ｃｅには、他のアイコンＣｉが表示されている。この表示情報ＣのジャンルアイコンＣｇの大きさは、図１３−１に示したコンテンツの代表画像が有る場合の表示情報ＣのジャンルアイコンＣｇの大きさよりも大きく設定されている。このコンテンツの代表画像が無い場合での標準モード形式の表示情報Ｃでは、領域Ｃｄの面積が、コンテンツの代表画像が有る場合での標準モード形式の表示情報Ｃ（図１３−１）の領域Ｃｄの面積よりも小さく設定されているととともに、その領域Ｃｅの面積が、コンテンツの代表画像が有る場合での標準モード形式の表示情報Ｃ（図１３−１）の領域Ｃｅの面積よりも大きく設定されている。なお、このコンテンツの代表画像が無い場合での標準モード形式の表示情報Ｃには、コンテンツの代表画像が有る場合での標準モード形式の表示情報Ｃ（図１３−１）に設けられた領域Ｃｆは設けられていない。
【００８６】
［第２の実施の形態］
次に、本発明の第２の実施の形態を図１４および図１５に基づいて説明する。図１４は、本実施の形態の一覧情報の一例を示す図、図１５は、一覧情報の一例を示す図である。なお、第１の実施の形態と同じ部分には同一符号を付与し、重複する説明は省略する。
【００８７】
本実施の形態は、基本的には第１の実施の形態と同じであるが、キーワード表示情報が第１の実施の形態に対して主に異なる。
【００８８】
本実施の形態では、操作受付部１０１が、特定の他のコンテンツに対応するキーワード表示情報を表示する操作を受け付けるようになっている。そして、その特定の他のコンテンツに対応するキーワード表示情報を表示する操作を操作受付部１０１が受け付けた場合には、表示制御部１０６が、一覧情報に含ませた複数の他のコンテンツのうち、その特定の他のコンテンツの表示情報に対してのみ、キーワード表示情報を表示する。具体的には、特定の他のコンテンツに対応するキーワード表示情報を表示する操作は、ユーザによる操作機器の操作であって、例えば、操作機器による注目コンテンツの表示情報の選択である。図１４および図１５の例では、コンテンツの表示情報Ｃ１４が注目コンテンツの表示情報として選択されている。なお、図１４および図１５の一覧情報では、「タイトル」、「人物」、「キーワード」、「ジャンル」の各項目をキーコンテンツＣ１に近接して配置した例を示してある。
【００８９】
そして、表示制御部１０６は、図１４および図１５に示すように、一覧情報中のコンテンツの表示情報のうち特定の他のコンテンツの表示情報Ｃ１４に対してだけ、キーワード表示情報Ｄを表示する。このとき、表示制御部１０６は、キーワード表示情報Ｄを当該キーワード表示情報Ｄに対応する他のコンテンツの表示情報Ｃ１４とは別の位置に配置する。具体的には、図１４の例では、キーワード表示情報Ｄを当該キーワード表示情報Ｄに対応する他のコンテンツの表示情報Ｃ１４の周囲、例えば横隣りに配置している。この図１４に示すキーワード表示情報Ｄは、つながりキーワード（「○○○」、「△△△」、「×××」）が一行にひとつずつ配置されており、上から下の行に行くに従い表示優先度が低くなっている。また、このキーワード表示情報Ｄは、当該キーワード表示情報Ｄに対応する他のコンテンツの表示情報Ｃ１４を指す指示部Ｄａを有しており、この指示部Ｄａは三角形状をなしている。また、図１５の例では、表示制御部１０６は、キーワード表示情報Ｄを一覧情報Ｍの外側、例えば下側に配置する。図１５の例のキーワード表示情報Ｄは、つながりキーワード（「○○○」、「△△△」、「×××」）が一行に配置されており、左から右に行くに従い表示優先度が低くなっている。
【００９０】
このようなつながりキーワード表示情報Ｄは、表示情報生成部１０５によって生成されて、表示制御部１０６が所定の位置に配置している。表示制御部１０６は、注目コンテンツが変わると、その新たな注目コンテンツの、キーワード表示情報Ｄを表示し、以前の注目コンテンツの、キーワード表示情報Ｄを非表示とする。
【００９１】
以上説明したように、本実施の形態では、表示制御部１０６は、特定の他のコンテンツに対応するキーワード表示情報Ｄを表示する操作を操作受付部１０１が受け付けた場合には、その特定の他のコンテンツの表示情報に対してのみ、キーワード表示情報Ｄを表示する。したがって、ユーザが所望する情報をユーザに見やすい状態で提供することができる。
【００９２】
また、本実施の形態では、表示制御部１０６は、キーワード表示情報Ｄを当該キーワード表示情報Ｄに対応する他のコンテンツの表示情報とは別の位置に配置する。したがって、ユーザが所望する情報をより見やすい状態でユーザに提供することができる。
【００９３】
また、本実施の形態では、キーワード表示情報Ｄは、当該キーワード表示情報Ｄに対応する他のコンテンツの表示情報を指す指示部Ｄａを有し、表示制御部１０６は、キーワード表示情報Ｄを当該キーワード表示情報Ｄに対応する他のコンテンツの表示情報の周囲に配置する。したがって、ユーザに、キーワード表示情報Ｄがどのコンテンツの表示情報に対応するものなのかを直感的に理解させることができる。
【００９４】
また、本実施の形態では、表示制御部１０６は、キーワード表示情報Ｄを一覧情報Ｍの外側に配置する。したがって、一覧情報Ｍを表示モードに応じて特段に変更する必要が無く、探索モードであっても一覧情報として標準一覧情報をそのまま用いることができる。
【符号の説明】
【００９５】
１００  表示処理装置
１０１  操作受付部（操作受付手段）
１０２  メタデータ検索部（メタデータ検索手段）
１０３  メタデータ取得部（メタデータ取得手段）
１０４  関連度算出部（関連度算出手段）
１０５  表示情報生成部（表示情報生成手段）
１０６  表示制御部（表示制御手段）
１１０  キーワード抽出部（キーワード抽出手段）
１１１  表示モード設定部（表示モード設定手段）
１７０  表示部（表示器）
【図１】
2011040099.tif 000004
【図２】
2011040099.tif 000005
【図３】
2011040099.tif 000006
【図４−１】
2011040099.tif 000007
【図４−２】
2011040099.tif 000008
【図４−３】
2011040099.tif 000009
【図４−４】
2011040099.tif 000010
【図５−１】
2011040099.tif 000011
【図５−２】
2011040099.tif 000012
【図６】
2011040099.tif 000013
【図７】
2011040099.tif 000014
【図８】
2011040099.tif 000015
【図９】
2011040099.tif 000016
【図１０】
2011040099.tif 000017
【図１１】
2011040099.tif 000018
【図１２】
2011040099.tif 000019
【図１３−１】
2011040099.tif 000020
【図１３−２】
2011040099.tif 000021
【図１４】
2011040099.tif 000022
【図１５】
2011040099.tif 000023